(57)【要約】【課題】  剥がれ落ちにくいマグネットフックを提供すること。【解決手段】  本願の一形態に係るマグネットフックは、金属壁面に磁着する第１の面を有する磁石部を有するマグネット部と、前記磁石部の少なくとも前記第１の面を被覆する被覆部と、前記磁石部とは垂直方向一定の距離を置いた位置から突設された懸架部を有するフック部であって、前記懸架部を設けた側と対向する前記金属壁面側には、前記第１の面と前記金属壁面との接触面と略同一平面上で前記金属壁面に接触する第２の面を有するフック部とを具備する。【選択図】図１
2019216946.tif 000002
【特許請求の範囲】
【請求項１】
金属壁面に磁着する第１の面を有する磁石部を有するマグネット部と、
前記磁石部の少なくとも前記第１の面を被覆する被覆部と、
前記磁石部とは垂直方向一定の距離を置いた位置から突設された懸架部を有するフック部であって、前記懸架部を設けた側と対向する前記金属壁面側には、前記第１の面と前記金属壁面との接触面と略同一平面上で前記金属壁面に接触する第２の面を有するフック部と
を具備することを特徴とするマグネットフック。
【請求項２】
前記マグネット部と前記フック部とが可動結合されていることを特徴とする請求項１記載のマグネットフック。
【請求項３】
前記マグネット部は、前記磁石部による磁束を集中させる磁束調整部を更に備えることを特徴とする請求項１または２記載のマグネットフック。
【請求項４】
前記マグネット部と前記フック部とが第１の結合部によって取外し可能に結合されることを特徴とする請求項１〜３のうちいずれか一項記載のマグネットフック。
【請求項５】
前記フック部と前記懸架部とが第２の結合部によって取外し可能に結合されることを特徴とする請求項１〜４のうちいずれか一項記載のマグネットフック。
【請求項６】
前記第1の結合部と前記被覆部との間に前記被覆部を保護するための緩衝部を更に具備したことを特徴とする請求項４記載のマグネットフック。
【発明の詳細な説明】
【技術分野】
【０００１】
本発明は、例えばマグネットフックに係り、特に磁気吸着力を用いて鋼板等の金属壁面に取り付けるマグネットフックに関する。
【背景技術】
【０００２】
従来、マグネットフックとしては、永久磁石を裏側に取り付けた筐体にフックが吊り下げられた構成をした製品が広く知られている。このような一般的なマグネットフックにおいては、懸架物による荷重が一定限度を超えると、磁石が壁面から剥がれ落ちてしまうことが問題であった。
【０００３】
上記の問題を解決するため、特許文献１では、梃子の原理を利用してモーメントに対する大きな反力を生起せしめ、磁石体の磁力と相まって掛止め保持を強化するとする技術思想が開示されている。
【０００４】
また、特許文献２では、磁石を支点とするフックを設け、フックに荷重を加えることで、フックと壁面との摩擦抵抗力を得るとする技術思想が開示されている。
【０００５】
しかしながら、上記の参考文献に開示される発明によれば、モーメントに対する反力から得た摩擦抵抗力が磁力と相まって剥がれ落ち防止を強化するものであるところ、モーメント自体を抑制する技術思想ではないために、例えば、フックと金属壁面との間の距離が長いためにモーメントが大きくなってしまう形状等においては、必ずしも満足できる剥がれ落ち防止効果が得られないことが問題となる。
【先行技術文献】
【特許文献】
【０００６】
【特許文献１】特開２００９−１０６６８８号公報
【特許文献１】特開２００７−３０３６６６号公報
【発明の概要】
【発明が解決しようとする課題】
【０００７】
本発明は、上記の問題点の解決を企図したものであり、剥がれ落ちにくいマグネットフックを提供することを目的とする。
【課題を解決するための手段】
【０００８】
以上の課題を解決するために、本発明は、フックに掛かるモーメントの量を軽減すること、上記モーメントが生起する磁石を剥がそうとする力を小さくすること、及び金属壁面を押す力を摩擦力に変換して掛止め保持力を強化することを特徴とする。
【０００９】
本発明の第１の態様に係るマグネットフックは、金属壁面に磁着する第１の面を有する磁石部を有するマグネット部と、上記磁石部の少なくとも上記第１の面を被覆する被覆部と、上記磁石部とは垂直方向一定の距離を置いた位置から突設された懸架部を有するフック部であって、上記懸架部を設けた側と対向する上記金属壁面側には、上記第１の面と上記金属壁面との接触面と略同一平面上で上記金属壁面に接触する第２の面を有するフック部とを具備する。
【００１０】
ここで、第１の面とは、磁力を利用して磁石製品を金属壁面に接着するために、磁石部が金属壁面に接触する面を包含する。上記第１の面の形状としては、略平面な面に限らず、磁着力を十分に発揮できる他の形状としてもよいし、また例えば、摩擦力を強化するための構造を有する形状としてもよい。
【００１１】
懸架部とは、懸架物を懸架され得る部位を包含し、荷重点とは、懸架物を懸架した際に、懸架物に掛かる重力が荷重される点を包含する。
【００１２】
懸架部を設けた側と対抗する上記金属壁面側とは、フック部が金属壁面に面する側を包含する。
【００１３】
第２の面とは、フック部が金属壁面側と接触する面を包含し、上記第１の面と上記金属壁面との接触面と略同一平面上に在る。例えば、上記第１の面と離隔した面であってもよいし、上記第１の面と連続した態様であってもよい。
【００１４】
一般に、たとえばマグネットの一面が金属壁に磁着しており、マグネットの中心軸と同軸（マグネットが円盤状の場合）もしくはマグネットの重心と同軸（マグネットが非円盤状、たとえば方形板状の場合）で懸架部が突設され、その懸架部における作用点Ｐ１から荷重Ｗの荷が懸架される場合には、作用点Ｐ１から懸架部の基端Ｂまでの距離をＬ１とした場合に、マグネットを金属壁からはがそうとする力は基端Ｂにかかる荷重ＷによるモーメントＷ×Ｌ１となるが、同じ円盤状のマグネットに係る軸とは異軸で懸架部が突設される場合に、マグネットを金属壁からはがそうとする力は、基端Ｂにかかる荷重ＷによるモーメントＷ×Ｌ１の影響は、マグネットに係る軸と懸架部に係る軸との距離が大きいほど、また、金属壁との摩擦力が大きいほど（すなわち、金属壁との接触面積が大きいほど）、小さなものとなる。したがって、本願の一態様の方が、従来の場合に比して、磁石が金属壁からはがれにくくなる。
【００１５】
更に、上記第２の面を通じて金属壁面を押す力は、金属壁面と上記第２の面との間に発生する摩擦力に変換され、上記第１の面における摩擦力と相まって磁石製品の滑り落ち防止を強化することを可能とする。
【００１６】
本発明の第２の態様として、第１の態様において、上記マグネット部と上記フック部とが可動結合されていることを特徴とする。
【００１７】
ここで、可動結合とは、例えば、フック部とマグネット部とをネジで結合する際にスリーブを設け、ネジを中心にフック部とマグネット部とが回転できる結合を含む。これにより、フック部が荷重によって下側に引っ張られ垂直下方に位置し易くなるため、前記の磁石を剥がそうとする力を小さくする効果を得るために好適である。
【００１８】
本発明の第３の態様として、第１もしくは第２の態様において、上記マグネット部は、上記磁石部による磁束を集中させる磁束調整部を更に備えることを特徴とする。
【００１９】
この磁束調整部は、典型的には、磁石（たとえば永久磁石）が吸着する方向以外へ磁束が漏れ出ないように覆う態様とするが、他にも様々な態様が可能であり、例えば吸着する方向と反対側のみを板状に覆うバックプレート的なものであっても、磁石自体の磁力が十分であれば構わない。
【００２０】
被覆部は、磁石部及び磁束調整部の略全面を被覆する態様が好適であるが、該態様に限定するものではなく、少なくとも金属壁面と接触する第１の面を被膜する態様であればよい。
【００２１】
本発明の第４の態様として、第１〜第３の態様のいずれかにおいて、上記マグネット部と上記フック部とが第１の結合部によって取り外し可能に結合されることを特徴とする。
【００２２】
第１の結合部とは、フック部をマグネット部に取り付ける（結合する）ことを実現する部品を包含する。結合部としては、ネジ状の機構が一般的に用いられるが、それと同様にフック部をマグネット部に結合する機能を持っているものであれば良く、本願の各態様における「結合部」はネジ状の機構に限定されず、例えばナット、ボルト、ビスその他の多様なジョイント金具であってもよいし、また例えば結合部が樹脂製で、同じく樹脂製のフック部と嵌合するような構造で結合する態様であってもよい。
【００２３】
本発明の第５の態様として、第１〜第４の態様のいずれかにおいて、上記フック部と上記懸架部とが第２の結合部によって取り外し可能に結合されることを特徴とする。
【００２４】
第２の結合部とは、上記第１の結合部と同様に、懸架部をフック部に取り付ける（結合する）ことを実現する部品を包含し、ネジ状の機構に限定されず、例えばナット、ボルト、ビスその他の多様なジョイント金具であってもよいし、また例えば結合部が樹脂製で、同じく樹脂製の懸架部と嵌合するような構造で結合する態様であってもよい。
【００２５】
本発明の第６の態様として、第４の態様において、上記結合部１と上記被覆部との間に上記被覆部を保護するための緩衝部を更に具備したことを特徴とする。
【００２６】
緩衝部とは、ネジ等に強い応力が発生した際に被覆部を破損しないように緩衝する部品を包含する。ネジの頭部と被覆部との間に配置されることによって、被覆部の亀裂を防止し、更には亀裂から水分が入り込んで磁石部に錆が発生することなどを防止する。材料としては、例えば、樹脂あるいはシリコンゴム等を用いてもよいし、他にも上記被覆部を破損させないために、弾力性、耐摩耗性のある様々な素材を用いてもよい。
【発明の効果】
【００２７】
本発明の第１の態様によれば、金属壁面に磁石の磁力を利用して取り付けるマグネットフックにおいて、剥がれ落ちにくいマグネットフックを提供することができる。
【００２８】
本発明の第２の態様によれば、磁石を剥がそうとする力をより効率的に軽減することで、剥がれ落ちにくいマグネットフックを提供することができる。
【００２９】
本発明の第３の態様によれば、磁束調整部により磁石部の磁力を強化した剥がれ落ちにくいマグネットフックを提供することができる。
【００３０】
本発明の第４の態様によれば、マグネット部とフック部とが交換可能な剥がれ落ちにくいマグネットフックを提供することができる。
【００３１】
本発明の第５の態様によれば、フック部と懸架部とが交換可能な剥がれ落ちにくいマグネットフックを提供することができる。
【００３２】
本発明の第６の態様によれば、緩衝部により磁石部の損傷を防止した剥がれ落ちにくいマグネットフックを提供することができる。
【図面の簡単な説明】
【００３３】
【図１】本発明の一実施形態に係るマグネットフックの全体を示す概略側面図である。
【図２Ａ】本発明の第１の実施形態に係るマグネットフックの上面図である。
【図２Ｂ】本発明の第１の実施形態に係るマグネットフックの詳細断面図である。
【図２Ｃ】本発明の第１の実施形態に係るマグネットフックの裏面図である。
【図２Ｃ−１】本発明の一実施形態に係る磁石を剥がす力について説明するための概念的断面図である。
【図２Ｄ】本発明の第２の実施形態に係るマグネットフックの詳細断面図である。
【図３Ａ】本発明の第３の実施形態に係るマグネットフックの上面図である。
【図３Ｂ】本発明の第３の実施形態に係るマグネットフックの詳細断面図である。
【図３Ｃ】本発明の第３の実施形態に係るマグネットフックの裏面図である。
【図４Ａ】本発明の第４の実施形態に係るマグネットフックの上面図である。
【図４Ｂ】本発明の第４の実施形態に係るマグネットフックの詳細断面図である。
【図４Ｃ】本発明の第４の実施形態に係るマグネットフックの裏面図である。
【図５】本発明の一実施形態に係る懸架部の実施４例（基本形、丸孔形、達磨形、棒形）を示す斜視図である。
【発明を実施するための形態】
【００３４】
以下、本発明を実施するための形態について図面を用いて説明する。
【００３５】
図１は、本発明の第1の実施形態に係るマグネットフックの全体を示す概略側面図であり、図２Ａはその上面図、図２Ｂはその詳細断面図、図２Ｃはその裏面図である。
【００３６】
概略構成として、本発明の一実施形態に係るマグネットフック１は、マグネット部２Ａとフック部３及び懸架部４Ｂを備えて構成されている。マグネット部２Ａに内蔵される磁石部１１及び磁束調整部１２がシリコンゴムなどで形成される被覆部１０で被覆される。磁石部１１の磁束調整部１２と対向する側は被覆部１０で被覆されることにより第１の面５が形成される。マグネット部２Ａとフック部３とは、第１の結合部３０により結合される。即ち、フック部３が円柱状のマグネット部２Ａの外周側面を嵌合するように結合している。
【００３７】
第１の実施形態では、第２の結合部であるネジ等の頭部４１が第２の面６を形成し、金属壁面と接触する構造となっている。上記第２の面と上記金属壁面との間の摩擦力を増加させつつ、上記金属壁面を傷付けないために、シリコンゴム等を第２の結合部の頭部４１の周囲に設けたものを、上記シリコンゴム等が金属壁面に接触する第２の面として形成してもよい。
【００３８】
被覆部１０には、永久磁石の磁力線を透過するシリコンゴム等を用いるため、磁石の吸着強度は十分に確保される。被覆部１０は、少なくとも金属壁面と接触する第１の面５が被覆されることから、磁石部１１が直接に金属壁面を摩擦して傷つけることが防止される。被覆箇所は、これに限らず磁石部全体を被覆する態様であってもよい。
【００３９】
懸架部４Ｂは、本実施形態では丸孔型のフックを使用しているが、使用する人の好みや用途に応じて様々な形状や機能のものを採用若しくは交換することが可能である。別の態様として、金型に樹脂を射出成型して製造し懸架部を初めから一体に形成しても構わないし、別々に形成した各パーツを接着などの方法によって一体化してもよい。
【００４０】
次に、上記のように構成されるマグネットフックの作用・動作について説明する。
【００４１】
図２Ｃ−１は、本願の一実施形態に係る作用を比較的に説明するための概念的断面図であり、（ａ）はマグネットと同軸で懸架部が突設される従来の形態を、（ｂ）は本願の一実施形態に係る、マグネットに係る軸とは異軸で懸架部が突設される形態を、それぞれ表している。図２Ｃ−１の（ａ）に示されるように、一般に、たとえば円盤状のマグネットの一面が金属壁に磁着しており、マグネットの他の面から懸架部が突出するように設けられ、その懸架部における作用点Ｐ１から荷重Ｗの荷が懸架される場合には、作用点Ｐ１から懸架部の基端Ｂまでの距離をＬ１とした場合に、マグネットを金属壁からはがそうとする力は基端Ｂにかかる荷重ＷによるモーメントＷ×Ｌ１となる。一方、同じ円盤状のマグネットの一面が金属壁に磁着しており、マグネットとは垂直距離において一定距離（Ｌ２）だけ下方に離隔したところにある基端Ｂから懸架部が突出するように設けられ、その懸架部における作用点Ｐ２から荷重Ｗの荷が懸架される場合（図２Ｃ−１の（ｂ））に、作用点Ｐ２から懸架部の基端Ｂまでの距離をＬ１とした場合に、マグネットを金属壁からはがそうとする力を考えた場合、基端Ｂにかかる荷重ＷによるモーメントＷ×Ｌ１の影響は、Ｌ２が大きいほど、また、金属壁との摩擦力が大きいほど（すなわち、摩擦係数が（ａ）、（ｂ）で共通する場合には、金属壁との接触面積が大きいほど）、小さなものとなる。したがって、本願の一実施形態に係る場合の方が、従来の場合に比して、磁石が金属壁からはがれにくい。換言すれば、懸架状態をより安定的に保つことができる。
【００４２】
次に、本発明の他の実施形態について説明する。以下の各実施形態では、構成・動作について、上記の実施形態と同様のものについては、上記の説明をもって替え、記載を省略する。
【００４３】
図２Ｄは、本発明の第２の実施形態に係るマグネットフックの詳細断面図である。第１の結合部の軸部３２の外周にスリーブ１４を設け、フック部３とマグネット部２Ａとが上記第１の結合部の軸部３２を中心に回転できる様に枢支結合されている。この構成によって、上記フック部が荷重によって垂直下方（図２Ｄにおける左方）に引っ張られ、磁石を剥がそうとする力を小さくする効果を得るために好適なポジションを得やすくする。
【００４４】
図３Ａは、本発明の第３の実施形態のマグネットフックに係る上面図であり、図３Ｂはその詳細断面図、図３Ｃはその裏面図である。懸架部４Ｄとフック部３とが一体として成形されている。金属壁面と接触する第２の面６を形成する材料としては、金属壁面を傷付けずに滑り落ち防止を強化することができる様、摩擦係数の高いゴム等を用いることが好ましいが、これに限定されるものではない。
【００４５】
図４Ａは本発明の第４の実施形態のマグネットフックに係る上面図であり、図４Ｂはその詳細断面図、図４Ｃはその裏面図である。概略構成としては、マグネット部２Ｂに内蔵される磁石部１１及び磁束調整部１２がシリコンゴムなどで形成される被覆部１０で被覆され、マグネット部２Ｂとフック部３とが第１の結合部３０により結合され、緩衝部２０を有する構成としている。この構成によって、マグネット部２Ｂとフック部３とが、またフック部３と懸架部４Ｃとが、其々交換可能となる。
【００４６】
上述した形態では、マグネット部２Ｂの略全面がシリコンゴム等の被覆部１０によって被覆される構成としている。マグネット部２Ｂの形状は、図４Ｂで表した円柱状に限らず、例えば四角柱や星型柱をした磁石を使用するなどが可能である。こうした場合、各部品が上述のように交換可能であるメリットを生かすことができる。
【００４７】
緩衝部２０は、第１の結合部３０によってマグネット部２Ｂの金属壁面に接触する面側に取り付けられる。マグネット部２Ｂにおいて、磁石部１１（例えば、永久磁石）と磁束調整部１２とは中心部に孔を有しており、これらを被覆部１０で被覆している。マグネット部２Ｂの中心部には、緩衝部２０の中心部２２を嵌合するように結合させるための凹部が形成されている。緩衝部２０は、マグネット部２Ｂの凹部に嵌合するように結合される中心部２２、中心部２２のフック部３との接触側とは反対側において結合部の頭部３１を収納する凹部１３、結合部の軸部３２を貫通させる貫通孔、マグネット部２Ｂの表面に形成された深度の比較的浅い凹部１３Ａに収納される羽部２１とを有している。
【００４８】
緩衝部２０の材料としては、ネジの頭から受ける応力に耐えるため、一般的には硬度な樹脂等で構成することが好適であるが、これに限定されるものではない。
【００４９】
マグネット部２Ｂに結合されるフック部３、緩衝部２０、及びフック部３に結合される懸架部４Ｃは、一体的に形成された場合を除いて、取り換え可能な部品であるため、製品としては、組み合わせを楽しんだりして汎用的な用途使いとするために個別に販売することも可能である。
【００５０】
上述した形態では図示のものを例示して本発明の一形態を説明したが、本発明は、当該形態から様々な置換、省略、付加が可能である。例えば、図２Ｄ、図３Ｂ、図４Ｂにおいては、磁石部１１の第1の結合部軸部の貫通孔周囲を被覆部１０が被覆する形態を例示したが、磁石部１１の当該軸部の貫通孔周囲は被覆されない形態であってもよい。
【産業上の利用可能性】
【００５１】
一般家庭、オフィス、学校、展示会場、商店等において、金属製のキャビネットの扉やスチール棚の支柱などに本発明の各実施形態に係るマグネットフックを磁着させて、鞄等の手提げ類や衣類等を吊り下げることができる。また、屋内外の倉庫や物置その他様々な場所において、金属壁面や支柱等に本発明に係るマグネットフックを磁着させることによって、上記した物品に限らず様々なものを吊り下げることができる。したがって、本願の各態様に係るマグネットフックは、文具産業、建材業、インテリア産業等をはじめ、各種産業において利用可能性が存在する。
【符号の説明】
【００５２】
１  マグネットフック
２  マグネット部（永久磁石）
２Ａ  マグネット部（永久磁石と磁束調整部）
２Ｂ  マグネット部（永久磁石と磁束調整部・緩衝部取付用）
３  フック部
４  懸架部
４Ａ  懸架部（基本形）
４Ｂ  懸架部（丸孔形）
４Ｃ  懸架部（達磨形）
４Ｄ  懸架部（棒形）
５  第１の面
６  第２の面
１０  被覆部
１１  磁石部
１２  磁束調整部
１３  第１の結合部の頭部収納用のマグネット部の凹部
１３Ａ  緩衝部の羽部収納用のマグネット部の凹部
１４  スリーブ
２０  緩衝部
２１  緩衝部の羽部
３０  第１の結合部
３１  第１の結合部の頭部
３２  第１の結合部の軸部
４０  第２の結合部
４１  第２の結合部の頭部
４２  第２の結合部の軸部      
【図１】
2019216946.tif 000003
【図２Ａ】
2019216946.tif 000004
【図２Ｂ】
2019216946.tif 000005
【図２Ｃ】
2019216946.tif 000006
【図２Ｃ−１】
2019216946.tif 000007
【図２Ｄ】
2019216946.tif 000008
【図３Ａ】
2019216946.tif 000009
【図３Ｂ】
2019216946.tif 000010
【図３Ｃ】
2019216946.tif 000011
【図４Ａ】
2019216946.tif 000012
【図４Ｂ】
2019216946.tif 000013
【図４Ｃ】
2019216946.tif 000014
【図５】
2019216946.tif 000015